(57)【要約】      （修正有）【課題】移動体が係止体に嵌設され、その中心ネジが、係止体の中心長尺状槽内に位置するようになり無声調整可能のアームレスト構造を提供する。【解決手段】アームレストフレームと移動体、押圧体及びアームレスト座が含有され、アームレストフレームは、上部に、係止体が設けられ、該係止体の一側に、若干の係止槽が設けられ、もう一側において、適当な位置に設けられた凹槽内にリムとローラが嵌設され、移動体は、中心にネジが螺着され、その上面に、押圧体が収納され、該押圧体のシート状端にある楕円孔が、移動体の上面の中心に設けられた円形状突出に嵌設され、また、そのシート状端の末端にある逆Ｌ文字状突出が、移動体の一側に設けられた四角形孔内に嵌入される。押圧体の逆Ｌ文字状突出を係止体の係止槽に嵌入させ、係止体と移動体とが結合され、そして、移動体をアームレスト座の底部に螺着すると、アームレスト構造が構成される。【選択図】図３
0003132708.tif 000002
【実用新案登録請求の範囲】
【請求項１】
アームレストフレームと移動体、押圧体及びアームレスト座が含有され、アームレストフレームの上部に、係止体が設けられ、該係止体の中心に、長尺状槽があり、その上面の一側に、等距離に若干の係止槽が設けられ、移動体の底部に、引受け槽が設けられ、適当な一側に、引受け座が設けられ、該引受け座の両側に、それぞれ、引受け槽が設けられ、その内壁面の中心に、円形棒が設けられ、移動体の上面において、中央位置に、収納槽が設けられ、該収納槽の一側に、四角形孔が設けられ、該四角形孔と該収納槽とが連通し、該収納槽の中心に、円形状突出が設けられ、該円形状突出の中心に、ネジ穴が設けられ、押圧体に、押圧端とシート状端があり、押圧端の両側において、適当な位置に、されそれ、突出が設けられ、シート状端の末端に、逆Ｌ文字状突出が設けられ、また、該シート状端において、適当な位置に楕円孔が設けられ、ネジを移動体の中心に設けられたネジ穴に螺着し、また、該移動体の一側にある引受け座の中心円形棒にバネを嵌設し、また、押圧体のシート状端を、移動体の上面に設けられた収納槽内に収納し、そして、押圧端の両側に設けられた突出を移動体の一側に設けられた引受け座の引受け槽内に嵌入することにより、該押圧体のシート状端に設けられた楕円孔が、移動体の上面にある収納槽の中心に設けられた円形状突出に嵌設され、そして、末端にある逆Ｌ文字状突出が、移動体の上面にある収納槽の一側に設けられた四角形孔内の適当な位置に嵌入し、また、アームレストフレームの係止体を移動体の底部にある引受け槽内に位置させ、そして、移動体の上面にある押圧体の逆Ｌ文字状突出を係止体に設けられた係止槽に嵌入して、移動体の中心にあるネジが、係止体の中央に設けられた長尺状槽内に位置するようになり、そのため、移動体とアームレストフレームの係止体とが結合され、また、移動体とアームレスト座とが結合される、ことを特徴とする無声調整可能のアームレスト構造。
【請求項２】
係止体の上面において、係止槽が設けられていない一側の適当な位置に、凹槽が設けられ、また、該凹槽の中央に、円形棒が設けられ、リムとローラとが、順に該円形棒に嵌設され、移動体が、よりスムーズに移動できることを特徴とする請求項１に記載の無声調整可能のアームレスト構造。
【請求項３】
押圧体が、そのシート状端に設けられた楕円孔の範囲内で変位し、また、嵌設された円形状突出により、その位置が制限されることを特徴とする請求項１に記載の無声調整可能のアームレスト構造。
【請求項４】
移動体が、係止体の中心に設けられた長尺状槽の範囲内で変位し、また、中心ネジが、該長尺状槽内に位置することにより、その位置が制限されることを特徴とする請求項１に記載の無声調整可能のアームレスト構造。
【考案の詳細な説明】
【技術分野】
【０００１】
本考案は、アームレスト調整構造に関し、特に、位置調整する時、無声式移動を行う無声調整可能のアームレスト構造に関する。
【背景技術】
【０００２】
一般の市販のアームレストの位置調整構造１は、図１のように、底座１０の両側に、対応するように、階段状の凹み部１１が、設けられ、また、二つのバネ１２と二つの嵌合ブロック１３とが、それぞれ、階段状凹み部１１に設けられ、その嵌合ブロック１３が、底座１０の側壁から突出し、また、底座１０に設けられた定位座１４があり、定位座１４は、円形状体であり、内底部に、スロット１５が形成され、スロット１５の内壁の両側に、対応するように、複数の切込１６が設けられ、ユーザーがアームレストの位置を調整する時、外力で定位座１４を移動させ、底座１０の両側壁から凸出した嵌合ブロック１３が、定位座１４のスロット１５の内壁面によって抵当されて、内へ縮む状態になり、また、階段状凹み部１１内のバネ１２を圧縮して、バネ１２が、彈性的に圧縮状態になり、嵌合ブロック１３が、定位座１４のもう一つの切込１６に面する時、その嵌合ブロック１３が、バネ１２の彈性回復により付勢されて外へ抵当され、もう一つの切込１６に嵌設されるように定位され、これにより、アームレストが、前後へ変位するように調整されるが、上記のような調整構造は、変位調整する時、該嵌合ブロック１３が、バネ１２による付勢することにより、切込１６に嵌入する時、“がだ”の騒音を発生する問題がある。
【考案の開示】
【考案が解決しようとする課題】
【０００３】
本考案の主な目的は、アームレストの位置を調整する時、無声式の変位を行い、アームレストの位置を調整する時、がだという騒音を発生しない無声調整可能のアームレスト構造を提供する。
【課題を解決するための手段】
【０００４】
請求項１の考案は、アームレストフレームと移動体、押圧体及びアームレスト座が含有され、アームレストフレームの上部に、係止体が設けられ、該係止体の中心に、長尺状槽があり、その上面の一側に、等距離に若干の係止槽が設けられ、移動体の底部に、引受け槽が設けられ、適当な一側に、引受け座が設けられ、該引受け座の両側に、それぞれ、引受け槽が設けられ、その内壁面の中心に、円形棒が設けられ、移動体の上面において、中央位置に、収納槽が設けられ、該収納槽の一側に、四角形孔が設けられ、該四角形孔と該収納槽とが連通し、該収納槽の中心に、円形状突出が設けられ、該円形状突出の中心に、ネジ穴が設けられ、押圧体に、押圧端とシート状端があり、押圧端の両側において、適当な位置に、されそれ、突出が設けられ、シート状端の末端に、逆Ｌ文字状突出が設けられ、また、該シート状端において、適当な位置に楕円孔が設けられ、ネジを移動体の中心に設けられたネジ穴に螺着し、また、該移動体の一側にある引受け座の中心円形棒にバネを嵌設し、また、押圧体のシート状端を、移動体の上面に設けられた収納槽内に収納し、そして、押圧端の両側に設けられた突出を移動体の一側に設けられた引受け座の引受け槽内に嵌入することにより、該押圧体のシート状端に設けられた楕円孔が、移動体の上面にある収納槽の中心に設けられた円形状突出に嵌設され、そして、末端にある逆Ｌ文字状突出が、移動体の上面にある収納槽の一側に設けられた四角形孔内の適当な位置に嵌入し、また、アームレストフレームの係止体を移動体の底部にある引受け槽内に位置させ、そして、移動体の上面にある押圧体の逆Ｌ文字状突出を係止体に設けられた係止槽に嵌入して、移動体の中心にあるネジが、係止体の中央に設けられた長尺状槽内に位置するようになり、そのため、移動体とアームレストフレームの係止体とが結合され、また、移動体とアームレスト座とが結合されることを特徴とする無声調整可能のアームレスト構造である。
【０００５】
請求項２の考案は、係止体の上面において、係止槽が設けられていない一側の適当な位置に、凹槽が設けられ、また、該凹槽の中央に、円形棒が設けられ、リムとローラとが、順に該円形棒に嵌設され、移動体が、よりスムーズに移動できることを特徴とする請求項１に記載の無声調整可能のアームレスト構造である。
【０００６】
請求項３の考案は、押圧体が、そのシート状端に設けられた楕円孔の範囲内で変位し、また、嵌設された円形状突出により、その位置が制限されることを特徴とする請求項１に記載の無声調整可能のアームレスト構造である。
【０００７】
請求項４の考案は、移動体が、係止体の中心に設けられた長尺状槽の範囲内で変位し、また、中心ネジが、該長尺状槽内に位置することにより、その位置が制限されることを特徴とする請求項１に記載の無声調整可能のアームレスト構造である。
【考案を実施するための最良の形態】
【０００８】
本考案は、図２から６を参照しながら、無声調整可能のアームレスト構造２であり、アームレストフレーム２０と、移動体２１、押圧体２２及びアームレスト座２３が含有され、アームレストフレーム２０の上部に、係止体２０１が設けられ、該係止体２０１の中心に、長尺状槽２０５があり、その上面の一側に、等距離に若干の係止槽２０２が設けられ、また、もう一側において、適当な位置に、ローラ２４とリム２５とを収納するための凹槽２０３が設けられ、また、該凹槽２０３の中央に、円形棒２０４が設けられ、移動体２１の底部に、係止体２０１を収納するための引受け槽２１４が設けられ、また、適当な一側に、引受け座２１０が設けられ、該引受け座２１０両側に、それぞれ、引受け槽２１５が設けられ、該引受け座２１０の内壁面の中心に、円形棒２１１が設けられ、移動体２１の上面において、中央位置に、押圧体２２のシート状端２２１を収納するための収納槽２１６が設けられ、該収納槽２１６は、押圧体２２のシート状端２２１の末端に設けられた逆Ｌ文字状突出２２２に対応する位置に、四角形孔２１７が設けられ、該四角形孔２１７が、該収納槽２１６と連通し、該収納槽２１６の中心に、円形状突出２１８が設けられ、該円形状突出２１８の中心に、ネジ穴２１２が設けられ、該収納槽２１６の両側において、適当な位置に、それぞれ、ネジ穴２１３が設けられ、押圧体２２は、その押圧端２２０の両側において、適当な位置に、それぞれ、移動体２１の引受け座２１０の両側にある引受け槽２１５内に嵌入する突出２２４が設けられ、そのシート状端２２１の末端に、逆Ｌ文字状突出２２２が設けられ、また、該シート状端２２１において、移動体２１の上面の中心に設けられた円形状突出２１８に対応する位置に、楕円孔２２３が設けられ、アームレスト座２３は、底面に、移動体２１を収納する凹槽２３０が設けられ、また、該凹槽２３０底面において、移動体２１の両側に設けられたネジ穴２１３に対応する位置に、それぞれ、円形状槽２３１が設けられ、ネジ２７を、移動体２２の中心に設けられたネジ穴２１２に螺着して、該移動体２１の一側にある引受け座２１０の中心円形棒２１５にバネ２６を嵌設した後、押圧体２２のそのシート状端２２１を移動体２１の上面に設けられた収納槽２１６内に位置するように、また、その押圧端２２０の両側に設けられた突出２２４が、移動体２１の一側に設けられた引受け座２１０の引受け槽２１５内に嵌入されることにより、該押圧体２２のシート状端２２１に設けられた楕円孔２２３が、移動体２１の上面にある収納槽２１６の中心に設けられた円形状突出２１８に嵌設され、この時、その末端にある逆Ｌ文字状突出２２１が、移動体２１の上面にある収納槽２１６の一側に設けられた四角形孔２１７内の適当な位置に嵌入され、そして、順に、リム２５とローラ２４を、係止体２０１の上面の一側に設けられた凹槽２０３の中心円形棒２０４に嵌設し、また、アームレストフレーム２０の係止体２０１を、移動体２１の底部にある引受け槽２１４内に位置させ、また、移動体２１の上面にある押圧体２２の逆Ｌ文字状突出２２２を、係止体２０１に設けられた係止槽２０２内に嵌入させ、移動体２１の中心ネジ２７が、係止体２０１の中央に設けられた長尺状槽２０５内に位置するようになり、これにより、移動体２１とアームレストフレーム２０の係止体２０１とが結合され、係止体２０１に結合された移動体２１を、アームレスト座２３の底部にある凹槽２３０内に位置させるようにして、そして、その両側にあるネジ穴２１３を、該凹槽２３０の両側にある円形状槽２３１に一致させて、ネジ２８で螺着すれば、無声調整可能のアームレスト構造２が構成される。
【０００９】
使用する時、図７と８のように、該押圧体２２を押圧すると、該押圧体２２は、楕円孔２２３に嵌設された円形状突出２１８により、変位の位置が制限されるように、シート状端２２１に設けられた楕円孔２２３の範囲内に変位し、適当な距離に移動すると、その末端にある、係止体２０１の一側に設けられた係止槽２０２内に係止された逆Ｌ文字状突出２２２が、該係止槽２０２から脱離し、移動体２１は、その中心ネジ２７により、変位の位置が制限されるように、係止体２０１の中心長尺状槽２０５の範囲内に、左右へ変位し、そして、結合された押圧体２２とアームレスト座２３とが、連動されて変位し、そのため、アームレストの位置を調整でき、また、アームレストを、必要とする位置に調整すると、該押圧体２２を釈放して、該押圧体２２は、その内部にあるバネ２６の回復力により、元の位置に回復し、また、そのシート状端２２１の末端にある逆Ｌ文字状突出２２２が、再び係止体２０１の一側にある係止槽２０２に嵌入するようになり、これにより、アームレストが、調整された位置に固定される。
【図面の簡単な説明】
【００１０】
【図１】従来の組立て断面上面図
【図２】本考案の立体組立て図
【図３】本考案の立体分解図
【図４】本考案のＡ−Ａ断面図
【図５】本考案のＢ−Ｂ断面図
【図６】本考案の係止体と移動体及び押圧体の組立て断面図
【図７】本考案のＡ−Ａ断面動作概念図
【図８】本考案の係止体と移動体及び押圧体の組立て断面動作概念図
【符号の説明】
【００１１】
１         
アームレスト構造
１０        底座
１１        階段凹み部
１２        バネ
１３        嵌合ブロック
１４        定位座
１５        スロット
１６        切込
２          アームレスト構造
２０        アームレストフレーム
２０１      係止体
２０２      係止槽
２０３      凹槽
２０４      円形棒
２０５      長尺状槽
２１        移動体
２１０      引受け座
２１１      円形棒
２１２      ネジ穴
２１３      ネジ穴
２１４      引受け槽
２１５      引受け槽
２１６      収納槽
２１７      四角形孔
２１８      円形状突出
２２        押圧体
２２０      押圧端
２２１      シート状端
２２２      逆Ｌ文字状突出
２２３      楕円孔
２２４      突出
２３        アームレスト座
２３０      凹槽
２３１      円形状槽
２４        ローラ
２５        リム
２６        バネ
２７        ネジ
２８        ネジ
【図１】
0003132708.tif 000003
【図２】
0003132708.tif 000004
【図３】
0003132708.tif 000005
【図４】
0003132708.tif 000006
【図５】
0003132708.tif 000007
【図６】
0003132708.tif 000008
【図７】
0003132708.tif 000009
【図８】
0003132708.tif 000010
【手続補正書】
【提出日】平成19年4月4日(2007.4.4)
【手続補正１】
【補正対象書類名】実用新案登録請求の範囲
【補正対象項目名】請求項１
【補正方法】変更
【補正の内容】
【請求項１】
アームレストフレームと移動体、押圧体及びアームレスト座が含有され、アームレストフレームの上部に、係止体が設けられ、該係止体の中心に、長尺状槽があり、その上面の一側に、等距離に若干の係止槽が設けられ、移動体の底部に、引受け槽が設けられ、適当な一側に、引受け座が設けられ、該引受け座の両側に、それぞれ、引受け槽が設けられ、その内壁面の中心に、円形棒が設けられ、移動体の上面において、中央位置に、収納槽が設けられ、該収納槽の一側に、四角形孔が設けられ、該四角形孔と該収納槽とが連通し、該収納槽の中心に、円形状突出が設けられ、該円形状突出の中心に、ネジ穴が設けられ、押圧体に、押圧端とシート状端があり、押圧端の両側において、適当な位置に、それぞれ、突出が設けられ、シート状端の末端に、逆Ｌ文字状突出が設けられ、また、該シート状端において、適当な位置に楕円孔が設けられ、ネジを移動体の中心に設けられたネジ穴に螺着し、また、該移動体の一側にある引受け座の中心円形棒にバネを嵌設し、また、押圧体のシート状端を、移動体の上面に設けられた収納槽内に収納し、そして、押圧端の両側に設けられた突出を移動体の一側に設けられた引受け座の引受け槽内に嵌入することにより、該押圧体のシート状端に設けられた楕円孔が、移動体の上面にある収納槽の中心に設けられた円形状突出に嵌設され、そして、末端にある逆Ｌ文字状突出が、移動体の上面にある収納槽の一側に設けられた四角形孔内の適当な位置に嵌入し、また、アームレストフレームの係止体を移動体の底部にある引受け槽内に位置させ、そして、移動体の上面にある押圧体の逆Ｌ文字状突出を係止体に設けられた係止槽に嵌入して、移動体の中心にあるネジが、係止体の中央に設けられた長尺状槽内に位置するようになり、そのため、移動体とアームレストフレームの係止体とが結合され、また、移動体とアームレスト座とが結合される、ことを特徴とする無声調整可能のアームレスト構造。